(57)【要約】【課題】  カードの排出時にカードの飛び出しを防止できると共に、カードに傷をつけることのないカード用コネクタ装置を提供する。【解決手段】  カード１３が挿着される収納部１ａを有するハウジング１と、収納部１ａの一端側に配設され、カード１３と接触可能なコネクタ端子２と、カード１３の挿入及び排出方向に移動可能なスライド部材７と、スライド部材７を付勢する付勢部材３と、スライド部材７をカード挿着位置に保持するハート形カム溝７ｃ及びロック部材４とを備え、ハウジング１の収納部１ａに、スライド部材７が付勢部材３によってカード排出位置に移動する際に、カード１３をカード１３の厚さ方向に押圧する押圧手段を設け、押圧手段を、樹脂製のカード当接部５と、カード当接部５をカード１３に押圧する金属製のばね片６とで形成した。【選択図】        図１
2005352548.tif 000002
【特許請求の範囲】
【請求項１】
カードが挿着される収納部を有するハウジングと、この収納部の一端側に配設され、前記カードの外部接触部と接触可能なコネクタ端子と、前記カードの挿入及び排出に伴ってカードの挿入及び排出方向に移動可能なスライド部材と、このスライド部材を排出方向へ付勢する付勢部材と、前記スライド部材を前記付勢部材の付勢力に抗してカード挿着位置に保持するハート形カム溝及びロック部材とを備え、前記ハウジングの収納部に、前記スライド部材が前記付勢部材によってカード排出位置に移動する際に、前記カードをカードの厚さ方向に押圧する押圧手段を設け、この押圧手段を、樹脂製のカード当接部と、このカード当接部をカードに押圧する金属製のばね片とで形成したことを特徴とするカード用コネクタ装置。
【請求項２】
前記押圧手段を、前記収納部のカード挿入口近傍に設けたことを特徴とする請求項１記載のカード用コネクタ装置。
【請求項３】
前記押圧手段を、前記カードの幅方向中央を押圧するように配置すると共に、前記ばね片を前記カードの幅方向に沿うように延設したことを特徴とする請求項１、又は２記載のカード用コネクタ装置。
【請求項４】
前記カード当接部を、前記ハウジングと同じ樹脂材で一体成形したことを特徴とする請求項１乃至３の何れかに記載のカード用コネクタ装置。
【請求項５】
前記カード当接部を、前記収納部のカード挿入方向と交差する方向に長尺状に配置し、前記カードとの当接面を平坦面で形成したことを特徴とする請求項１乃至４の何れかに記載のカード用コネクタ装置。
【請求項６】
前記カード当接部のカード挿入方向の前面に、傾斜部を設けたことを特徴とする請求項１乃至５の何れかに記載のカード用コネクタ装置。
【発明の詳細な説明】
【技術分野】
【０００１】
本発明は、携帯電話、ＰＣなど各種携帯情報端末、デジタルカメラ、デジタルＡＶ機器などのメモリー対応機器等に用いられる小型メモリーカードに使用される、カード用コネクタ装置の構造に関する。
【背景技術】
【０００２】
ＩＣやメモリなどを組み込んだカードとしてはＩＣカードやメモリーカードなどが広く使用さるようになってきている。このＩＣカードやメモリカードなどと機器側の回路基板とを電気的に接続するためにカード用コネクタ装置が用いられている。
【０００３】
従来のカード用コネクタ装置には、カードを挿脱可能なケースにカードの排出機構を備えたものがあり、このカードの排出機構には、カードをコネクタ内に押し込んで挿着し、排出させる際に、再度押圧することで排出するプッシュ・プッシュ形のものが開発されている。この場合、カードの排出操作によりスライドがケース内を勢い良く移動するため、カードがケースより飛び出してしまう虞があり、このカードの飛び出しを防ぐためにカードの上面からカードを厚さ方向に押圧して、カードの排出スピードを抑えて飛び出しを防止する押圧手段を備えたカード用コネクタ装置が知られている（例えば、特許文献１参照）。
【０００４】
以下、従来のカード用コネクタ装置の構造を図に基づいて説明する。
図９及び図１０は従来のカード用コネクタ装置の構造を示し、図９はカード用コネクタ装置の斜視図、図１０はカード用コネクタ装置の下方から見た斜視図である。
【０００５】
図に示すように、本コネクタ１０１は、樹脂等の絶縁性材料からなるケース２０に９本のコネクタ側コンタクト３０と、３本の検出用スイッチ３１，３２，３３とが取り付けられた構成となっており、カード８０の挿入方向（矢印Ａ）から見たケース２０の右側部分には、押圧挿入したカード８０を同方向に押圧操作して排出させるプッシュ・プッシュ形のカード排出機構４０が備え付けられている。
【０００６】
カード８０は、本体部８１と、この本体部８１の裏面側に取り付けられた９個のカード側コンタクト８２とを有している。各カード側コンタクト８２は、本体部８１の裏面側に形成された８つのコンタクト取付溝８３に設けられ、本体部８１の内部のＩＣ チップ（図示せず）に繋がっている。
【０００７】
ケース２０の左右両側部には、カード８０をケース２０内にスムーズに挿入させるためにカード８０の両側部を案内するカード挿入部２４が形成されており、カード挿入部２４の外方には、カード８０がケース２０内に挿入された際、カード８０の両側部を案内するガイド金具６０が取り付けられている。
【０００８】
各ガイド金具６０は、カード挿入部２４の外方において圧入取り付けされる圧入部６１と、この圧入部６１からケース２０の前方に突出形成された基部６２と、この基部６２の下端部からケース２０の外方に延びて形成されたリード部６３と、基部６２の上端部からケース２０の内方に水平に延びて形成された内方延出部６４と、この内方延出部６４からケース２０の後方に延びて形成された後方延出部６５と、後方延出部６５の後端部に形成された抑え部６６とを有しており、基部６２と内方延出部６４とによりＬアングル状のガイド部が形成される。ここで、後方延出部６５は、その後端の抑え部６６が、カード８０がケース２０内に挿入された場合にカード８０の上面が位置する面よりも下方に位置するように、ケース２０の後方に向かうに従って徐々に下降するように傾斜した形状となっている。
【０００９】
カード排出機構４０は、ケース２０の右方上面側をケース２０の前後方向に延びて形成されたスライド溝２６にスライド部５４ａを係合させてケース２０の前後方向にスライド移動自在なスライダ５０と、ケース２０の右方前部に形成されたばね係止部２７に前方端部が係止されてケース２０内を前後方向に延び、後方端部がスライダ５０のばね係止部に係止されてスライダ５０を常時カード８０の排出方向に付勢する引っ張りばね４１と、後端部がケース２０に支持されてケース２０内をケース２０の前方に延び、前端部に形成された屈曲部４２ａをスライダ５０の下面に形成されたカム溝５１内に位置させたカム棒４２とから構成されている。
【００１０】
カード８０がケース２０に挿着されると、スライダ５０が引っ張りばね４１の付勢力に抗して奥へと移動し、カム棒４２の屈曲部４２ａがカム溝５１を移動し挿着位置にロックされる。そして、再度カード８０が押されると、カム機構によるスライダ５０のロックが解除され、引っ張りばね４１により付勢されたスライダ５０がケース２０の前方（カード８０の排出方向）にスライド移動し、カード８０はケース２０の前方に押し出される。これによりカード８０の後端部はケース２０の前方に突出し、カードユーザーはカード８０をコネクタ１０１より引き抜くことができるようになる。
【００１１】
ここで、カード８０は上述のように、ケース２０の左右に設けられたガイド金具６０の後方延出部６５及び抑え部６６により下方へ押し付けられた状態となっているので、スライダ５０が引っ張りばね４１の付勢力を受けてケース２０の前方へ移動してもカード８０がケース２０より勢い良く飛び出すことはない。
【００１２】
【特許文献１】特開２００２−２５２０４７号公報
【発明の開示】
【発明が解決しようとする課題】
【００１３】
しかしながら、従来のカード用コネクタ装置の構成においては、カードの排出時に、カードがガイド金具で下方へ押し付けられた状態となっているので、カードがケースより勢いの余り飛び出すことはないが、カードと接触する抑え部が金属片であるためにカードにすり傷をつけてしまうという問題があった。
【００１４】
したがって、本発明では上述した問題点を解決し、カードの排出時にカードの飛び出しを防止できると共に、カードに傷をつけることのないカード用コネクタ装置を提供することを目的とする。
【課題を解決するための手段】
【００１５】
上記課題を解決するために本発明では第１の解決手段として、カードが挿着される収納部を有するハウジングと、この収納部の一端側に配設され、前記カードの外部接触部と接触可能なコネクタ端子と、前記カードの挿入及び排出に伴ってカードの挿入及び排出方向に移動可能なスライド部材と、このスライド部材を排出方向へ付勢する付勢部材と、前記スライド部材を前記付勢部材の付勢力に抗してカード挿着位置に保持するハート形カム溝及びロック部材とを備え、前記ハウジングの収納部に、前記スライド部材が前記付勢部材によってカード排出位置に移動する際に、前記カードをカードの厚さ方向に押圧する押圧手段を設け、この押圧手段を、樹脂製のカード当接部と、このカード当接部をカードに押圧する金属製のばね片とで形成した構成とした。
【００１６】
また、第２の解決手段として、前記押圧手段を、前記収納部のカード挿入口近傍に設けた構成とした。
また、第３の解決手段として、前記押圧手段を、前記カードの幅方向中央を押圧するように配置すると共に、前記ばね片を前記カードの幅方向に沿うように延設した構成とした。
【００１７】
また、第４の解決手段として、前記カード当接部を、前記ハウジングと同じ樹脂材で一体成形した構成とした。
また、第５の解決手段として、前記カード当接部を、前記収納部のカード挿入方向と交差する方向に長尺状に配置し、前記カードとの当接面を平坦面で形成した構成とした。
また、第６の解決手段として、前記カード当接部のカード挿入方向の前面に、傾斜部を設けた構成とした。
【発明の効果】
【００１８】
上述したように、本発明のカード用コネクタ装置は、カードが挿着される収納部を有するハウジングと、収納部の一端側に配設され、カードの外部接触部と接触可能なコネクタ端子と、カードの挿入及び排出に伴ってカードの挿入及び排出方向に移動可能なスライド部材と、スライド部材を排出方向へ付勢する付勢部材と、スライド部材を付勢部材の付勢力に抗してカード挿着位置に保持するハート形カム溝及びロック部材とを備え、ハウジングの収納部に、スライド部材が付勢部材によってカード排出位置に移動する際に、カードをカードの厚さ方向に押圧する押圧手段を設け、押圧手段を、樹脂製のカード当接部と、カード当接部をカードに押圧する金属製のばね片とで形成したことから、金属製のばね片の弾性力によりカードを排出する際のカードの排出勢いが弱まるので、カードがハウジングから勢い良く飛び出すのを防止することができると共に、カードを押圧する当接部が樹脂製のためカードを傷つけることがない。
【００１９】
また、押圧手段を、収納部のカード挿入口近傍に設けたことから、カードの排出時にカードの長さ全体にわたって押圧することができるため、カード排出の最後まで排出スピードを抑えることができる。
また、押圧手段を、カードの幅方向中央を押圧するように配置すると共に、ばね片をカードの幅方向に沿うように延設したことから、カードの中央を押圧することで押圧力が片寄りなくカードに伝えられると共に、ばね片を幅方向に延設することによりコネクタ装置の奥行き寸法を大きくすることなく形成できる。
【００２０】
また、カード当接部を、ハウジングと同じ樹脂材で一体成形したことから、部品点数が削減できて構成が簡単となり、組立が容易となる。
また、カード当接部を、収納部のカード挿入方向と交差する方向に長尺状に配置し、カードとの当接面を平坦面で形成したことから、カードとの当接面が広く形成でき、摩擦力がアップするため、確実にカードの飛び出しを防止できる。
また、カード当接部のカード挿入方向の前面に、傾斜部を設けたことから、カードを挿入する際に、カードの挿入が容易となる。
【発明を実施するための最良の形態】
【００２１】
以下、本発明の実施形態を図１乃至図８に示す。図１はカード用コネクタ装置の分解斜視図、図２はカード用コネクタ装置の平面図、図３はカード用コネクタ装置の正面図、図４はカバーを除いた状態のカード用コネクタ装置の平面図、図５はカード未挿入時の押圧手段の要部断面図、図６は同じカード未挿入時の押圧手段の要部断面図、図７はカード挿入時の押圧手段の要部断面図、図８は同じくカード挿入時の押圧手段の要部断面図である。
【００２２】
図において、ハウジング１は、合成樹脂などの絶縁材で前方及び上方が開口された方形状の箱形に形成されている。このハウジング１の中央には収納部１ａが設けられており、また、前記ハウジング１には、前記収納部１ａに連続してハウジング１の前面まで延びるカード挿入部１ｂが形成されている。また、前記収納部１ａには、弾性を有する導電性の金属材からなるコネクタ端子２が複数個並設されている。
【００２３】
前記コネクタ端子２は、前記収納部１ａのカード挿入方向の奥側に配設されており、収納部１ａの内底部に一体に埋設された平板状の基部と、この基部から内底部に設けられた開口部１ｃの互いに対向する方向へ屈曲されて形成された接続片２ａ及び接触片２ｂとから形成されている。前記コネクタ端子２は、一端側に形成された前記接続片２ａが、前記開口部１ｃを通してハウジング１の底面から外方へ表出して配設されており、この接続片２ａが電子機器などの外部の回路基板上の回路パターンと半田付けされて固着されることで信号の伝送が行われるものとなる。
【００２４】
また、前記コネクタ端子２の基部の他端側に延出されて形成された前記接触片２ｂが、前記開口部１ｃを通して収納部１ａ内に突出して配設されたものとなっている。また、前記接触片２ｂの先端側には、カード１３の外部接触部に接続される接点部２ｃが形成されている。
【００２５】
また、前記ハウジング１の一側部には、後述するスライド部材７をカード排出方向へ付勢するコイルばねからなる付勢部材３を収容するばね収容部１ｄが形成されている。また、このばね収容部１ｄと対向する一端側には、後述するスライド部材７をカード排出位置に保持する保持部１ｅが設けられている。この保持部１ｅには、後述するスライド部材７の一端側に形成されたハート型カム溝７ｃに摺接される金属の線材からなるロック部材４の一端が回動可能に軸支される軸孔１ｆが形成されており、このロック部材４の他端がハート型カム溝７ｃに付勢されている。
【００２６】
また、前記ハウジング１の収納部１ａのカード挿入部１ｂ近傍には、開口部１ｇが設けられており、この開口部１ｇに、樹脂製のカード当接部５と、このカード当接部５に連設して両側に、弾性を有する金属製のばね片６とが配設されている。このカード当接部５とばね片６とで、挿入されたカード１３を厚さ方向に押圧する押圧手段を構成している。このように、押圧手段を、前記収納部１ａのカード挿入口近傍に設けたことから、カード１３の排出時にカード１３の長さ全体にわたって押圧することができるため、カード排出の最後まで排出スピードを抑えることができるものとなっている。
【００２７】
前記カード当接部５は、合成樹脂等の絶縁製の樹脂材で形成されており、本実施例では前記ハウジング１と同じ樹脂材で一体に成形されている。この場合、前記カード当接部５は前記ばね片６に連設されており、前記ばね片６も前記ハウジング１に一体に埋設されて形成されている。このように、前記カード当接部５を、前記ハウジング１と同じ樹脂材で一体成形したことから、部品点数が削減できて構成が簡単となり、組立が容易となっている。
【００２８】
また、前記カード当接部５は、前記収納部１ａに挿入されるカード１３の幅方向の中央位置に来るように配設されており、前記ばね片６は、カード１３の幅方向に沿うようにカード挿入方向に交差する方向に延出されて配設されている。また、前記ばね片６は、その中央で一旦戻る方向へ延設され、略Ｓ字状に形成されており、アームを長くすることによりばね性の向上が図られている。
【００２９】
このように、押圧手段を、カード１３の幅方向中央を押圧するように配置すると共に、前記ばね片６をカード１３の幅方向に沿うように延設したことから、カード１３の中央を押圧することで押圧力が片寄りなくカード１３に伝えられると共に、ばね片６を幅方向に延設することによりコネクタ装置の奥行き寸法を大きくすることなく形成できるものとなる。
【００３０】
また、前記カード当接部５は、カード１３との接触面積が広くなるように、前記収納部１ａのカード挿入方向と交差する方向に長尺状に形成されており、また上面側のカード１３との当接面５ａが平坦面で形成されている。また、カード挿入方向の前面側には、斜面からなる傾斜部５ｂが形成されている。
【００３１】
このように、前記カード当接部５を、前記収納部１ａのカード挿入方向と交差する方向に長尺状に配置し、カード１３との前記当接面５ａを平坦面で形成したことから、カード１３との当接面が広く形成でき、摩擦力がアップするため、確実にカードの飛び出しを防止できるものとなる。また、前記カード当接部５のカード挿入方向の前面に、前記傾斜部５ｂを設けたことから、カード１３を挿入する際に、カード１３の挿入が容易となっている。
【００３２】
スライド部材７は、合成樹脂などの絶縁材から略逆Ｌ字状に形成されている。このスライド部材７には、カード挿入方向の前端側に、カード挿入方向と直交する方向に突出した、カード１３が当接されるカード受部７ａが形成されており、また、このスライド部材７の中央には、前記ハウジング１のばね収容部１ｃに収容された、前記付勢部材３の一端部が係止されるばね係止部７ｂが設けられている。
【００３３】
また、前記スライド部材７の後端側には、前記ハウジング１の一端側に一端が回動可能に軸支された、前記ロック部材４の他端が摺接されるハート型カム溝７ｃが形成されている。そして、前記ロック部材４と前記ハート型カム溝７ｃとの協働によって、前記スライド部材７は、前記付勢部材３の付勢力に抗してカード挿着位置に保持されるものとなっている。
【００３４】
また、前記スライド部材７の後端部には、平坦状の受面部７ｄが設けられている。前記スライド部材７が、カード排出位置に前記付勢部材３によって付勢された際、この受面部７ｄが前記ハウジング１の保持部１ｅに当接するものとなっている。
【００３５】
また、前記スライド部材７の一側面部には、前記カード受部７ａに当接して収容される、カード１３の側面部に設けられた位置決め用の凹部（図示せず）に係合する、ばね性を有する金属板等からなる係合片８が固着されている。そして、カード１３が挿着された際には、この係合片８のばね性により、カード１３が確実にカード挿着位置に位置決めされるものとなっている。
【００３６】
また、前記ハウジング１のばね収容部１ｄと対向する他側部で、前記収納部１ａの奥側には、導電性の金属板からなる一対の固定接点９、９が配設されている。また、この一対の固定接点９、９に対向するようにレバー１０と接点ばね１１が回動可能に配設されている。このレバー１０は合成樹脂等の絶縁材からなり、このレバー１０に導電性の金属材からなる接点ばね１１が係合されている。
【００３７】
前記固定接点９、９と前記接点ばね１１とで検出手段を構成しており、前記ハウジング１の収納部１ａにカード１３が挿着された際に、カード１３が所定の位置に確実に挿着されたか否かを検出するようになっている。
【００３８】
前記ハウジング１の上面側には、金属板からなるカバー１２が、前記ハウジング１の上面側の開口部を覆うように取り付けられている。また、このカバー１２は前記ハウジング１の収納部１ａに配設された前記コネクタ端子２の上面を覆うように形成されており、外部からの輻射ノイズ等の侵入を防止するシールド板の役目も果たすものとなっている。
【００３９】
また、前記カバー１２の一端部には、前記ハウジング１の軸孔１ｆに一端が軸支され、前記スライド部材７のハート形カム溝７ｃに摺接される前記ロック部材４の他端を、前記ハート形カム溝７ｃ方向に付勢する弾性片１２ａが一体に形成されている。また、前記カバー１２の両側部には、カード１３の挿入時に、カード１３の上面側の両端部に当接してカードの傾きを防止する一対の案内片１２ｂ、１２ｂが設けられている。
【００４０】
カード１３は、内部に集積回路（ＩＣ）が収納されており、各種情報端末などの電子機器の記録媒体などとして広く使用されているものである。このカード１３の一表面には、その一端側に複数の外部接触部（図示せず）が形成されており、この外部接触部が前記ハウジング１の収納部１ａに配設された前記コネクタ端子２の接触片２ｂの接点部２ｃと接触することにより、外部に接続された電子機器との種々の情報処理が行われるものとなっている。
【００４１】
また、前記カード１３の先端部が前記スライド部材７のカード受部７ａとの当接部となっている。また、前記カード１３の一側面部には、位置決め用の凹部（図示せず）が形成されている。そして、カード１３を、前記スライド部材７のカード受部７ａに当接して挿入する際、凹部に、前記スライド部材７の一側面部に設けられたばね性を有する前記係合片８が係合することにより、前記カード１３を前記スライド部材７に保持させるものとなっている。
【００４２】
前記カード１３が前記スライド部材７に挿入された時、前記カード１３の先端部が前記スライド部材７のカード受部７ａに当接することによって、前記スライド部材７が前記カード１３の挿入に伴って、カード挿入方向へ移動可能となるように形成されている。
【００４３】
次に、前記カード１３をコネクタ装置に挿入する場合の動作を説明する。
まず、初期の状態、すなわち前記カード１３の未挿入時には、前記スライド部材７は前記付勢部材３の付勢力によりカード排出方向へ付勢されている。この時、前記スライド部材７は、受面部７ｄが前記ハウジング１の保持部１ｅと当接して、その位置に保持されている。また、この時、図５、図６に示すように、ハウジング１のカード挿入部１ｂ近傍に設けられた前記カード当接部５は、前記ばね片６の有する弾性力によって収納部１ａ内に突出されている。
【００４４】
次に、前記カード１３が、ハウジング１の収納部１ａに挿入されると、前記カード１３は、前記係合片８により位置決め用の凹部が係合されると共に、先端部が前記カード受部７ａに当接されて保持されるものとなる。この時、前記カード１３の外部接触部（図示せず）は前記コネクタ端子２の接触片２ｂの接点部２ｃとは離間している。また、図７、図８に示すように、前記カード当接部５は、カード１３の先端部によって傾斜部５ｂが押圧されることにより下方へ移動して、平坦面からなるカード当接面５ａがカード１３の底面と当接して摺接することとなる。
【００４５】
次に、前記カード１３をカード挿入方向へ押圧してやると、前記スライド部材７が前記カード１３の挿入に伴ってカード挿入方向へ移動可能となり、前記付勢部材３の付勢力に抗して前記スライド部材７がカード挿入方向へ移動して、前記ロック部材４の一端部が前記ハート型カム溝７ｃをトレースしてロック位置にロックされる。この時、前記カード１３の外部接触部は前記コネクタ端子２の接触片２ｂの接点部２ｃと接触するものとなり、カード１３がカード挿着位置に保持されるものとなる。
【００４６】
この状態から、前記カード１３を排出する場合には、さらに前記カード１３をカード挿入方向へ押圧してやると、再び前記ロック部材４の一端部が前記ハート型カム溝７ｃをトレースしてロック位置から外れて、前記スライド部材７が前記付勢部材３の付勢力によってカード排出方向へ付勢されるのに伴って、カード１３もカード排出方向へ押戻されるものとなる。そして、カード排出位置まで排出されて前記カード１３の外部接触部と前記コネクタ端子２の接触片２ｂの接点部２ｃとの接触が解除される。
【００４７】
この時、前記スライド部材７の後端部の受面部７ｄが、前記ハウジング１の保持部１ｅと当接することとなり、この当接時の衝撃が前記スライド部材７を介して前記カード１３に伝わることにより、場合によっては、前記カード１３が勢い良くコネクタ装置から飛び出す虞がある。
【００４８】
しかしながら、前記ハウジング１のカード挿入部１ｂの近傍には、前記ばね片６によって収納部１ａ内へ突出する方向へ付勢された前記カード当接部５が設けられており、このカード当接部５の当接面５ａが、排出位置まで排出された前記カード１３の底面をカード１３の厚さ方向に押し付けていることから、前記ばね片６の有する弾発力によって前記スライド部材７の復帰時の衝撃が緩和されるため、前記カード１３の排出の際のカード１３に伝わる衝撃を抑えることができるので、カード１３の飛び出しを防止することができるものとなっている。
【００４９】
上記した本発明の構成によれば、前記ハウジング１の収納部１ａに、前記スライド部材７が前記付勢部材３によってカード排出位置に移動する際に、前記カード１３をカードの厚さ方向に押圧する押圧手段である前記カード当接部５及びばね片６を設け、この押圧手段を、ハウジング１と一体成形した合成樹脂製の前記カード当接部５と、このカード当接部５を前記カード１３に押圧する、弾性を有する金属製の前記ばね片６とで形成したことから、金属製の前記ばね片６の弾性力により前記カード１３を排出する際のカード１３の排出勢いが弱まるので、前記カード１３が前記ハウジング１から勢い良く飛び出すのを防止することができると共に、前記カード１３を押圧する前記カード当接部５が合成樹脂製のため、前記カード１３を傷つけることがない。
【００５０】
尚、上記実施例においては、押圧手段を構成する前記カード当接部５は、合成樹脂製の長尺状の平坦面からなるカード当接面５ａを有する構成としたが、図示はしないが、カード当接部を回転可能なローラ部材で形成し、このローラー部材をカード挿入方向には回転可能とし、且つ、カード排出方向へは回転不能とした構成としても良い。このように構成することにより、カード挿入時にはローラー部材が回転することにより、容易にカードの挿入が可能で、カード排出時にはローラー部材が回転しないため、カードの排出スピードを抑えることができるものとなる。
【図面の簡単な説明】
【００５１】
【図１】本発明のカード用コネクタ装置を示す分解斜視図である。
【図２】本発明のカード用コネクタ装置を示す平面図である。
【図３】本発明のカード用コネクタ装置を示す正面図である。
【図４】本発明のカバーを除いた状態のカード用コネクタ装置を示す平面図である。
【図５】本発明のカード未挿入時の押圧手段を示す要部断面図である。
【図６】本発明の同じくカード未挿入時の押圧手段を示す要部断面図である。
【図７】本発明のカード挿入時の押圧手段を示す要部断面図である。
【図８】本発明の同じくカード挿入時の押圧手段を示す要部断面図である。
【図９】従来のカード用コネクタ装置を示す斜視図である。
【図１０】従来のカード用コネクタ装置を下方から見た状態の斜視図である。
【符号の説明】
【００５２】
１：ハウジング
１ａ：収納部
１ｂ：カード挿入部（カード挿入口）
１ｃ：開口部
１ｄ：ばね収容部
１ｅ：保持部
１ｆ：軸孔
１ｇ：開口部
２：コネクタ端子
２ａ：接続片
２ｂ：接触片
２ｃ：接点部
３：付勢部材
４：ロック部材
５：カード当接部（押圧手段）
５ａ：当接面
５ｂ：傾斜部
６：ばね片（押圧手段）
７：スライド部材
７ａ：カード受部
７ｂ：ばね係止部
７ｃ：ハート型カム溝
７ｄ：受面部
８：係合片
９：固定接点
１０：レバー
１１：接点ばね
１２：カバー
１２ａ：弾性片
１２ｂ：案内片
１３：カード
【図１】
2005352548.tif 000003
【図２】
2005352548.tif 000004
【図３】
2005352548.tif 000005
【図４】
2005352548.tif 000006
【図５】
2005352548.tif 000007
【図６】
2005352548.tif 000008
【図７】
2005352548.tif 000009
【図８】
2005352548.tif 000010
【図９】
2005352548.tif 000011
【図１０】
2005352548.tif 000012